【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
静止画または動画を含むコンテンツの共有相手である対象ユーザ、および前記対象ユーザに関連付けられた被写体である対象被写体の情報を取得する共有関連情報取得部と、
前記コンテンツから、前記対象被写体が映っているコンテンツを対象コンテンツとして抽出するコンテンツ抽出部と、
前記対象コンテンツを組み合わせてダイジェストコンテンツを構成するためのシナリオを生成するシナリオ生成部と
を備える情報処理装置。
【請求項２】
前記対象コンテンツに含まれる動画から、前記対象被写体が映っている部分を対象シーンとして抽出するシーン抽出部をさらに備え、
前記シナリオ生成部は、前記対象シーンを組み合わせてダイジェストコンテンツを構成するためのシナリオを生成する、請求項１に記載の情報処理装置。
【請求項３】
前記シナリオ生成部は、前記対象シーンと前記対象コンテンツに含まれる静止画とを組み合わせてダイジェストコンテンツを構成するためのシナリオを生成する、請求項２に記載の情報処理装置。
【請求項４】
前記シーン抽出部は、前記対象シーンから当該動画の代表シーンを選択し、
前記シナリオ生成部は、前記代表シーンを組み合わせてダイジェストコンテンツを構成するためのシナリオを生成する、請求項２または３に記載の情報処理装置。
【請求項５】
前記対象被写体は、人物であり、
前記シーン抽出部は、前記人物の笑顔度に基づいて前記代表シーンを選択する、請求項４に記載の情報処理装置。
【請求項６】
前記対象コンテンツに含まれる動画から、前記対象被写体が映っているフレームを対象フレームとして抽出し、前記対象フレームから当該動画の代表フレームを選択するフレーム抽出部と、
前記代表フレームを組み合わせて前記対象コンテンツのダイジェストアニメーションを生成するアニメーション生成部と
をさらに備える、請求項１〜５のいずれか１項に記載の情報処理装置。
【請求項７】
前記アニメーション生成部は、前記代表フレームと前記対象コンテンツに含まれる静止画とを組み合わせて前記ダイジェストアニメーションを生成する、請求項６に記載の情報処理装置。
【請求項８】
前記対象コンテンツに含まれる動画から、前記対象被写体が映っているフレームを対象フレームとして抽出し、前記対象フレームから当該動画の代表フレームを選択するフレーム抽出部と、
前記代表フレームから前記対象コンテンツの代表画像を選択する代表画像選択部と
をさらに備える、請求項１〜５のいずれか１項に記載の情報処理装置。
【請求項９】
前記代表画像選択部は、前記代表フレームと前記対象コンテンツに含まれる静止画とから前記代表画像を選択する、請求項８に記載の情報処理装置。
【請求項１０】
撮影対象のイベントごとに前記コンテンツを分類するコンテンツ分類部をさらに備え、
前記シナリオ生成部は、前記イベントごとに前記シナリオを生成する、請求項１〜９のいずれか１項に記載の情報処理装置。
【請求項１１】
前記シナリオが生成される前記イベントの情報を含むイベント情報を生成するイベント情報生成部をさらに備える、請求項１０に記載の情報処理装置。
【請求項１２】
前記共有関連情報取得部は、さらに、前記対象ユーザへの公開が許可される前記イベントの情報を取得する、請求項１０または１１に記載の情報処理装置。
【請求項１３】
前記共有関連情報取得部は、前記対象ユーザのグループ、および前記グループごとに関連付けられた前記対象被写体の情報を取得する、請求項１〜１２のいずれか１項に記載の情報処理装置。
【請求項１４】
前記シナリオ生成部は、前記対象ユーザおよび前記対象被写体の情報が取得される以前に共有の対象に設定された前記コンテンツについても、前記対象ユーザおよび前記対象被写体の情報が取得された以後に共有の対象に追加された前記コンテンツについても、前記シナリオを生成する、請求項１〜１３のいずれか１項に記載の情報処理装置。
【請求項１５】
前記シナリオ生成部は、前記対象ユーザが前記ダイジェストコンテンツを視聴する外部装置に前記シナリオを出力する、請求項１〜１４のいずれか１項に記載の情報処理装置。
【請求項１６】
静止画または動画を含むコンテンツを提供する第１のユーザが、前記コンテンツの共有相手である第２のユーザ、および前記第２のユーザに関連付けられる被写体である対象被写体を設定する操作を取得する操作部を含む第１のクライアント装置と、
前記第２のユーザおよび前記対象被写体の情報を取得する共有関連情報取得部、
前記コンテンツから、前記対象被写体が映っているコンテンツを対象コンテンツとして抽出するコンテンツ抽出部、および
前記対象コンテンツを組み合わせてダイジェストコンテンツを構成するためのシナリオを生成して出力するシナリオ生成部
を含むサーバ装置と、
前記出力されたシナリオを取得し、前記シナリオに従って前記コンテンツから前記ダイジェストコンテンツを生成して前記第２のユーザに提供するコンテンツ取得部を含む第２のクライアント装置と
を含むシステム。
【請求項１７】
前記第１のクライアント装置は、前記対象被写体の候補である候補被写体を示すアイコンを表示部に表示させる表示制御部をさらに含み、
前記操作部は、前記アイコンの中から所望の被写体に対応するアイコンを選択することによって前記対象被写体を設定する前記第１のユーザの操作を取得する、請求項１６に記載のシステム。
【請求項１８】
静止画または動画を含むコンテンツの共有相手である対象ユーザ、および前記対象ユーザに関連付けられた被写体である対象被写体の情報を取得することと、
前記コンテンツから、前記対象被写体が映っているコンテンツを対象コンテンツとして抽出することと、
前記対象コンテンツを組み合わせてダイジェストコンテンツを構成するためのシナリオを生成することと
を含む情報処理方法。
【手続補正２】
【補正対象書類名】明細書
【補正対象項目名】００１４
【補正方法】変更
【補正の内容】
【００１４】
なお、説明は以下の順序で行うものとする。
１．序論
２．全体構成
３．共有設定
４．共有サーバでの処理
４−１．概要
４−２．詳細
５．コンテンツ視聴時の表示
６．補足
【手続補正３】
【補正対象書類名】明細書
【補正対象項目名】００３４
【補正方法】変更
【補正の内容】
【００３４】
また、フレーム／シーン抽出部１６０は、対象コンテンツに含まれる動画から、対象被写体が映っているフレームを対象フレームとして抽出し、対象フレームの中から各動画の代表フレームを選択してもよい。なお、対象コンテンツに含まれる画像（静止画）は、フレーム／シーン抽出部１６０での処理を経ずに、そのままシナリオ情報生成部１８０やサムネイル画像抽出部１７０に提供されうる。かかるフレーム／シーン抽出部１６０の処理の詳細については後述する。
【手続補正４】
【補正対象書類名】明細書
【補正対象項目名】００３８
【補正方法】変更
【補正の内容】
【００３８】
サムネイル画像抽出部１７０によって抽出されたサムネイル画像は、例えば画像データの形でイベント情報生成部１５０に提供され、イベント情報とともにコンテンツ視聴クライアント３００に出力される。コンテンツ視聴クライアント３００では、コンテンツを視聴する対象ユーザに対して、イベント情報とともにサムネイルコンテンツが提示され、例えば各イベントに分類されたコンテンツの内容を把握することを容易にする。
【手続補正５】
【補正対象書類名】明細書
【補正対象項目名】００５０
【補正方法】変更
【補正の内容】
【００５０】
コンテンツ取得部３１０は、例えば、ＣＰＵ、ＲＡＭ、およびＲＯＭがストレージ装置またはリムーバブル記録媒体に格納されたプログラムに従って動作することによって実現される。コンテンツ取得部３１０は、共有サーバ１００のシナリオ情報生成部１８０から出力されたシナリオ情報を取得し、このシナリオ情報に基づいて、例えばユーザが所望するハイライト動画やサムネイル動画などを再生するのに必要なコンテンツをコンテンツサーバ４００から取得する。さらに、コンテンツ取得部３１０は、シナリオ情報に基づき、取得したコンテンツを用いてハイライト動画やサムネイル動画を再生する。例えば、コンテンツ取得部３１０は、取得したコンテンツをシナリオ情報で定義された順序で再生し、動画については対象シーンまたは代表シーンだけをシークして再生することによって、ハイライト動画やサムネイル動画を再生してもよい。また、コンテンツ取得部３１０は、取得したコンテンツをシナリオ情報で定義された順序で配列し、動画については対象シーンまたは代表シーンだけを切り出す編集処理によってハイライト動画やサムネイル動画を生成し、これを再生してもよい。コンテンツ取得部３１０は、再生した動画のデータを表示制御部３２０に提供する。
【手続補正６】
【補正対象書類名】明細書
【補正対象項目名】００８２
【補正方法】変更
【補正の内容】
【００８２】
これらの入力を用いて、ユーザＵ１（祖父母）のためのイベント情報Ｉｉｎｆｏが生成される。共有サーバ１００では、まず、コンテンツ抽出部１４０が、イベントＩ１〜Ｉ３に分類されたコンテンツから、人物Ｆ２（花子），Ｆ３（太郎）が被写体として含まれるコンテンツを抽出する。その結果、イベントＩ１（運動会），Ｉ２（家族旅行）では、人物Ｆ２（花子），Ｆ３（太郎）が被写体として含まれるコンテンツが抽出される。一方、イベントＩ３（ゴルフ）では、人物Ｆ０（パパ），Ｆ５（パパの友達Ａ）が被写体として含まれるコンテンツしか抽出されなかった。
【手続補正７】
【補正対象書類名】明細書
【補正対象項目名】０１２０
【補正方法】変更
【補正の内容】
【０１２０】
動画Ｄについては、先頭のフレームＤ＃１が代表フレームであるため、フレームＤ＃１から３秒、つまりフレームＤ＃１〜Ｄ＃３が代表シーンＤ＃１に設定される。また、動画Ｆについては、中間のフレームＦ＃５が代表フレームであるため、このフレームＦ＃５の前後１秒で３秒、つまりフレームＦ＃４〜Ｆ＃６が代表シーンＦ＃５に設定される。
【手続補正８】
【補正対象書類名】明細書
【補正対象項目名】０１３２
【補正方法】変更
【補正の内容】
【０１３２】
図示された例では、上記のルールに従って、動画Ｄでは、フレームＤ＃１とフレームＤ＃３とが一体のフレーム群として扱われ、フレームＤ＃１から、フレームＤ＃３の２秒後のフレームＤ＃５までが、シーンＤ＃１として切り出される。また、フレームＤ＃９とフレームＤ＃１０とが一体のフレーム群として扱われ、フレームＤ＃９の２秒前のフレームＤ＃７から、フレームＤ＃１０までが、シーンＤ＃２として切り出される。一方、動画Ｆでは、フレームＦ＃１とフレームＦ＃５とが一体のフレーム群として扱われ、フレームＦ＃１から、フレームＦ＃５の２秒後のフレームＦ＃７までが、シーンＦ＃１として切り出される。
【手続補正９】
【補正対象書類名】明細書
【補正対象項目名】０１６４
【補正方法】変更
【補正の内容】
【０１６４】
一方、人物表示１４３０ｃは、人物Ｐ１（花子）が一旦映らなくなった後、再び映り始めた位置に表示される。この時点で、人物Ｐ２（太郎），Ｐ３（次郎）は、前回の人物表示１４３０ｂが表示された時点から継続して映っているため、人物表示１４３０ｃには含まれない。従って、人物表示１４３０ｃは、人物Ｐ１（花子）の表示だけを含む。また、人物表示１４３０ｄは、人物Ｐ２（太郎），Ｐ３（次郎）が一旦映らなくなった後、再び映り始めた位置に表示される。この時点で、人物Ｐ１（花子）は、前回の人物表示１４３０ｃが表示された時点から継続して映っているため、人物表示１４３０ｄには含まれない。従って、人物表示１４３０ｄは、人物Ｐ２（太郎），Ｐ３（次郎）の表示だけを含む。
【手続補正１０】
【補正対象書類名】明細書
【補正対象項目名】０１７７
【補正方法】変更
【補正の内容】
【０１７７】
ストレージ装置９１９は、情報処理装置９００の記憶部の一例として構成されたデータ格納用の装置である。ストレージ装置９１９は、例えば、ＨＤＤ（Hard  Disk  Drive）などの磁気記憶デバイス、半導体記憶デバイス、光記憶デバイス、または光磁気記憶デバイスなどにより構成される。このストレージ装置９１９は、ＣＰＵ９０１が実行するプログラムや各種データ、および外部から取得した各種のデータなどを格納する。